(57)【特許請求の範囲】
【請求項１】
便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該移動装置は、内部に第２気密室を形成する筐体と、該筐体に組み付けられ、該移動体を移動させるアクチュエーターとを有し、
該筐体は、該第１気密室と該第２気密室とを連通する連通孔と、該アクチュエーターが待機状態にある場合、該第２気密室と大気とを連通し、該アクチュエーターが移動状態にある場合、該第２気密室と大気との連通を閉鎖する第１開閉弁が設けられていることを特徴とする便器排水路の吸気装置。
【請求項２】
便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該連通管は、連通管内と大気とを連通する小孔が設けられていることを特徴とする便器排水路の吸気装置。
【請求項３】
便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該連通管は、常時は該連通管内と大気とを連通し、該連通管内の圧力が大気圧より小さくなると該連通管内と大気との連通を閉鎖する第２開閉弁が設けられていることを特徴とする便器排水路の吸気装置。
【請求項４】
前記第２開閉弁は、前記連通管内の圧力が大気圧より特定の圧力以下になると該連通管内と大気との連通を閉鎖する請求項３記載の便器排水路の吸気装置。
【発明の詳細な説明】
【技術分野】
【０００１】
本発明は便器排水路の吸気装置に関する。
【背景技術】
【０００２】
特許文献１の図７に従来の便器排水路の吸気装置が開示されている。この吸気装置は吸引タンク及び水圧式駆動装置を備え、便器本体の水封部の下流側に連なる便器排水路から空気を吸引するものである。
【０００３】
吸引タンクは、ハウジング内に設置時の上下方向で移動可能に第１隔膜が設けられ、第１隔膜によって上側の第１室と下側の第２室とに区画されている。吸引タンクの第２室は便器排水路に連通されている。水圧式駆動装置は、導水管を介して水道水が給水されることにより上方向に移動する第２隔膜と、第２隔膜の上面に取り付けられ、先端が第１隔膜に接続された棒状部材とを有している。
【０００４】
この吸気装置は、便器洗浄が開始されると、水圧式駆動装置に導水管を介して水道水が給水される。すると、第２隔膜が上方向に移動し、棒状部材が第１隔膜を上方向に押し上げ、便器排水路内の空気が吸引タンクの第２室に吸引される。このため、便器排水路を洗浄水で満水にし、サイホン作用を発生させることができ、汚物を便器本体外へ排出することができる。便器洗浄が終了すると、導水管を介して水圧式駆動装置から水道水が排出され、第１隔膜が下降する。これにより、吸気装置は次の便器洗浄に備える。
【０００５】
【特許文献１】特開平５−３１１７１９号公報
【発明の開示】
【発明が解決しようとする課題】
【０００６】
しかし、上記従来の吸気装置では、導水管の詰まり等により、水圧式駆動装置から水道水が完全に排出されないと、第１隔膜が下降の途中で止まってしまう。この場合、次の便器洗浄時に便器排水路から吸引される空気の量が少なくなってしまうため、便器排水路が洗浄水で満水にならず、サイホン作用が発生しないおそれがある。サイホン作用が発生しないと、汚物が便器本体外へ排出されず、便器洗浄が良好に行われないおそれがある。
【０００７】
本発明は、上記従来の実情に鑑みてなされたものであって、便器洗浄を繰り返し良好に行うことができる便器排水路の吸気装置を提供することを解決すべき課題としている。
【課題を解決するための手段】
【０００８】
第１発明の便器排水路の吸気装置は、便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該移動装置は、内部に第２気密室を形成する筐体と、該筐体に組み付けられ、該移動体を移動させるアクチュエーターとを有し、
該筐体は、該第１気密室と該第２気密室とを連通する連通孔と、該アクチュエーターが待機状態にある場合、該第２気密室と大気とを連通し、該アクチュエーターが移動状態にある場合、該第２気密室と大気との連通を閉鎖する第１開閉弁が設けられていることを特徴とする。
【０００９】
第１発明の便器排水路の吸気装置では、アクチュエーターが待機状態に戻ることにより、移動体が移動し、第１隔膜が下降する。この場合、第２気密室に設けられた第１開閉弁は開弁し、第２気密室が大気に連通される。第２気密室が大気に連通されることにより、連通孔を介して第１気密室が大気に連通し、連通管を介して第１室も大気に連通する。このため、第１気密室から空気が確実に排出されると共に、第１室には空気が確実に充填される。よって、移動体及び第１隔膜は下降の途中で止まることなく、下降位置まで確実に下降する。
【００１０】
また、下降位置まで下降した移動体を移動装置により上方向に移動させる場合、アクチュエーターが待機状態から移動状態に駆動され、第１開閉弁は閉弁し、第２気密室と大気との連通は閉鎖される。このため、第１室内の空気は第１気密室内に確実に移動し、第１隔膜を上昇位置まで確実に上昇させることができる。よって、便器洗浄を行う場合、便器排水路から空気を確実に吸引することができ、サイホン作用を確実に発生させることができる。
【００１１】
したがって、第１発明の吸気装置は、便器洗浄を繰り返し良好に行なうことができる。
【００１２】
第２発明の便器排水路の吸気装置は、便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該連通管は、連通管内と大気とを連通する小孔が設けられていることを特徴とする。
【００１３】
第２発明の便器排水路の吸気装置では、移動体が下降し、それにより第１隔膜が下降する場合、第１気密室及び第１室は、連通管に設けられた小孔を通じて大気に連通しているため、第１気密室内から空気が確実に排出されると共に、第１室には空気が確実に充填される。このため、移動体及び第１隔膜は下降の途中で止まることなく、下降位置まで確実に下降する。
【００１４】
また、下降位置まで下降した移動体を移動装置により上方向に移動させる場合、移動体は急激に上方向に移動し、第１気密室は大量の空気を一気に吸引する。この際、連通管に設けられた小孔からも空気が第１気密室内に流入するが、その量は僅かであるため、第１室の空気を第１気密室が確実に吸引し、第１隔膜を上昇位置まで確実に上昇させることができる。このため、便器洗浄を行う場合、便器排水路から空気を確実に吸引することができ、サイホン作用を確実に発生させることができる。
【００１５】
したがって、第２発明の吸気装置は、便器洗浄を繰り返し良好に行うことができる。
【００１６】
第３発明の便器排水路の吸気装置は、便器本体の水封部の下流側に連なる便器排水路から空気を吸引する便器排水路の吸気装置において、
ハウジング内に設置時の上下方向で移動可能に第１隔膜が設けられ、該第１隔膜によって上側の第１室と下側の第２室とに区画され、該第２室が前記便器排水路に連通されている吸引タンクと、該第１室の空気を吸引して該第１隔膜を上方向に移動させる駆動装置とを備えており、
該駆動装置は、軸方向に延びる筒状のケース本体と、該ケース本体内に該軸方向に移動可能に収納された移動体と、該移動体を移動させる移動装置とを有し、
該ケース本体内には、該移動体の移動によって容積が変化し、連通管によって前記第１室に連通されている第１気密室が形成され、
該連通管は、常時は該連通管内と大気とを連通し、該連通管内の圧力が大気圧より小さくなると該連通管内と大気との連通を閉鎖する第２開閉弁が設けられていることを特徴とする。
【００１７】
第３発明の便器排水路の吸気装置では、移動体が下降し、それにより第１隔膜が下降する場合、連通管内の圧力は大気圧より小さくならないため、第２開閉弁は開弁されている。このため、第１気密室及び第１室は、連通管に設けられた第２開閉弁を通じて大気に連通されているため、第１気密室から空気が確実に排出されると共に、第１室には空気が確実に充填される。よって、移動体及び第１隔膜は下降の途中で止まることなく、下降位置まで確実に下降する。
【００１８】
また、下降位置まで下降した移動体を移動装置により上方向に移動させる場合、連通管内の圧力は大気圧より小さくなるため、開閉弁は閉弁され、連通管内と大気との連通は閉鎖される。このため、第１室内の空気は第１気密室内に確実に移動し、第１隔膜を上昇位置までより確実に上昇させることができる。よって、便器洗浄を行う場合、便器排水路から空気を確実に吸引することができ、サイホン作用を確実に発生させることができる。
【００１９】
したがって、第３発明の吸気装置は、便器洗浄を繰り返し良好に行うことができる。
【００２０】
第３発明の吸気装置において、第２開閉弁は、連通管内の圧力が大気圧より特定の圧力以下になると連通管内と大気との連通を閉鎖し得る。
【００２１】
この場合、便器洗浄時以外に第２開閉弁が閉弁することを避けることができる。つまり、連通管の内部の圧力が温度変化等により大気圧より僅かに小さくなったとしても、第２開閉弁は閉弁せず、連通管内と大気との連通が維持される。このため、連通管内の圧力が大気圧より僅かに小さくなった状況で、第２開閉弁が閉弁してしまうことにより、第１隔膜が上方向に移動して第２室が便器排水路内の空気を吸引し、便器本体の水封部に貯水された洗浄水が便器排水路側に流れ込んで封水が切れてしまうことを防止できる。
【００２２】
特定の圧力は、吸気装置の移動体が下降位置に位置している際に、連通管内の圧力が温度変化等により変動する圧力範囲よりも大きく、かつ便器洗浄時に吸気装置の移動体が上昇することにより連通管内に生じる負圧よりも小さい範囲で適宜定められる。このため、便器洗浄時には第２開閉弁が確実に閉弁し、第１室内の空気を吸気室内に移動させることができ、第１隔膜を上昇位置までより確実に上昇させることができる。よって、便器洗浄を行う場合、便器排水路から空気を確実に吸引することができ、サイホン作用を確実に発生させ、便器洗浄を良好に行うことができる。
【発明を実施するための最良の形態】
【００２３】
以下、第１発明〜第３発明の便器排水路の吸気装置を洋風水洗式便器に具体化した実施例１〜３を図面を参照しつつ説明する。
【実施例１】
【００２４】
図１及び図２に示すように、実施例１の洋風水洗式便器は、便器本体１と、便器洗浄装置Ｓとを備えている。なお、便座及び便蓋の図示は省略する。
【００２５】
便器本体１は、便鉢２の上部内周にリム３を有している。また、便器本体１には便鉢２の下端から上方向の延びる上昇流路２Ａが形成され、便鉢２の下方には水封部４が形成されている。便器本体１の上昇流路２Ａは接続管と接続されており、接続管内は便器排水路５、滞留部６及び排水口７が形成されている。
【００２６】
便器洗浄装置Ｓは、洗浄水供給装置１０と便器排水路５の吸気装置２０とを備えている。
【００２７】
洗浄水供給装置１０は、便器本体１が据え付けられたトイレルームの床面又は壁面から引き出された水道管に取り付けられた止水栓Ｖ１に接続され、便器本体１のリム３に連通する導水管１１を有している。導水管１１には、上流側から順に止水弁及びストレーナを内蔵するストレーナ装置１２、定流量弁１３、開閉弁Ｖ２及びバキュームブレーカ１４が設けられている。
【００２８】
便器排水路５の吸気装置２０は、ハウジング３０Ｈ内に設置時の上下方向で移動可能な第１隔膜３１が設けられた吸引タンク３０と、第１隔膜３１を上方向に移動させる駆動装置４０とを備えている。吸引タンク３０及び駆動装置４０は、図示しないが、便器本体１の側壁に囲まれ、便鉢２の後方に形成された収納空間に配置される。
【００２９】
吸引タンク３０の内部は、第１隔膜３１によって上側の第１室３２と下側の第２室３３とに区画されている。第１室３２及び第２室３３は気密性を有している。第１室３２は、連通管５０を介して後述する電磁式駆動装置４０の第１気密室４７に連通されている。また、第２室３３は、吸引管６０を介して便器排水路５に連通されている。
【００３０】
駆動装置４０は、上下方向に延びる筒状のケース本体４１と、ケース本体４１内に上下方向に移動可能に収納された移動体４２と、ケース本体４１の下端に設けられた移動装置４６とを有している。ケース本体４１内には、移動体４２及び移動装置４６に囲まれ、移動体４２の移動によって容積が変化する第１気密室４７が形成されている。
【００３１】
ケース本体４１は、上端面に空気が出入可能な開口４１Ａが形成されている。開口４１Ａには、ケース本体４１内にゴミ等が侵入しないようにフィルターが取り付けられている。また、上下方向の延びる筒状のケース本体４１は、下端が開口している。この開口には、移動装置４６の上部が下方から挿入され、移動装置４６の上部がケース本体４１内に収納されている。ケース本体４１と移動装置４６とはパッキンＰを介在させて気密性を保つように接続されている。
【００３２】
ケース本体４１の側壁には連通管５０が接続され、第１気密室４７は連通管５０を介して吸引タンク３０の第１室３２に連通されている。
【００３３】
移動体４２は、可撓制を有する第２隔膜４３と、第２隔膜４３の中央部４３Ｃの下面に取り付けられた第１ガイド４４と、第２隔膜４３の中央部４３Ｃの上面に取り付けられた第２ガイド４５とから構成されている。第２隔膜４３は、ケース本体４１の内周面に沿って上下方向に延びる筒部４３Ａと、筒部４３Ａの一端から外方に延びてケース本体４１の内周面に挟持されて固定される鍔部４３Ｂと、筒部４３Ａの他端から内方に延びる中央部４３Ｃとから形成されている。
【００３４】
第１ガイド４４は、第２隔膜４３の中央部４３Ｃの下面に取り付けられる上壁４４Ａと、上壁４４Ａの周縁から下方に延び、ケース本体４１の内周面に沿って下方に延びる側壁４４Ｂと、側壁４４Ｂの下端の外周縁から外方に延びるフランジ４４Ｃとから形成された下向きのカップ形状とされている。上壁４４Ａは、第２隔膜４３の中央部４３Ｃより一回り小さい相似形状とされている。この第１ガイド４４は、下降位置では、ケース本体４１内の下部に位置する。
【００３５】
第２ガイド４５は、第２隔膜４３の中央部４３Ｃの上面に取り付けられる底壁４５Ａと、底壁４５Ａの周縁から上下方向に延び、ケース本体４１の内周面に沿った側壁４５Ｂとから形成されている。底壁４５Ａは、第１ガイド４４の上壁４４Ａより大きい相似形状とされている。
【００３６】
この移動体４２は、第１ガイド４４及び第２ガイド４５によりケース本体４１内をスムーズに上昇、下降することができる。つまり、移動体４２が上昇、下降する際には、第１ガイド４４の側壁４４Ｂ及びフランジ４４Ｃと、第２ガイド４５の側壁４５Ｂとにより、移動体４２がケース本体４１の内周面に沿って移動する。このため、第２隔膜４３の中央部４３Ｃが水平状態を保ちながら上下方向に移動可能である。
【００３７】
また、移動体４２が上昇する際、図２に示すように、第２隔膜４３は、第１ガイド４４の側壁４４Ｂの外周面を被覆するように変形する。一方、移動体４２が下降する際、図１に示すように、第２隔膜４３は、第２ガイド４５の側壁４５Ｂの下端周縁に押えられながら変形する。このため、第２隔膜４３がケース本体４１の内周面に対して摺動しないため、第２隔膜４３は摩耗し難く、第１気密室４７の気密性が長期にわたって保たれる。よって、この駆動装置４０は、優れた耐久性を呈することができる。また、第２隔膜４３の交換等の駆動装置４０のメンテナンスの手間を少なくすることができる。
【００３８】
また、移動体４２が下降した際、図１に示すように、第１ガイド４４の内側に移動装置４６の上部が収納される。このため、電磁式駆動装置４０の小型化を図ることができ、便鉢２の後方に設けられた収納空間に電磁式駆動装置４０を容易に配置することができる。
【００３９】
移動装置４６は、内部に第２気密室４８を形成する筐体４６Ｋと、筐体４６Ｋに組み付けられ、移動体４２を移動させるアクチュエーターとを有している。筐体４６Ｋの上面には、第１気密室４７と第２気密室４８とを連通する連通孔４６Ｕが設けられている。また、筐体４６Ｋの下面には、弁体４６Ｔが閉弁する方向にバネ４６Ｓに付勢された第１開閉弁４６Ｖが設けられている。
【００４０】
アクチュエーターは、モーター４６Ｍと、モーター４６Ｍにより回転するネジ軸４６Ａと、ネジ軸４６Ａに外嵌したナット部を下端に有し、上端が移動装置４６の上方から突出して円盤状の押上板４６Ｃが固定された棒状体４６Ｂと、棒状体４６Ｂの下端から側方の延びる押下板４６Ｄを有している。押上板４６Ｃの上面は移動体４２に固定されておらず、押上板４６Ｃが上昇すると、移動体４２は上方向へ押上げられ、押上板４６Ｃが下降すると、移動体４２は自重により下降する。押下板４６Ｄが下降位置にある場合、つまり、アクチュエーターが待機状態である場合、押下板４６Ｄが第１開閉弁４６Ｖの弁体４６Ｔを下方に押下げ、第１開閉弁４６Ｖを開弁するため、第２気密室４８は大気に連通している。また、図２に示すように、押下板４６Ｄが上昇位置に移動する場合、つまり、アクチュエーターが移動状態にある場合、第１開閉弁４６Ｖの弁体４６Ｔはバネ４６Ｓの付勢力により閉弁するため、第２気密室４８は大気との連通を閉鎖される。
【００４１】
移動体４２の中央部の上面には、手動で移動体４２を上方向に移動させることのできる引上げ用の鎖４９の一端が取り付けられており、鎖４９の他端はケース本体４１の上端面から外部に引き出されている。
【００４２】
以上の実施例１の洋風水洗式便器の便器洗浄は以下のように行われる。
【００４３】
使用者が図示しない洋風水洗式便器の便器洗浄スイッチを操作すると、先ず、洗浄水供給装置１０の開閉弁Ｖ２が開弁される。これにより導水管１１から洗浄水がリム３に供給され、便鉢２の内面に沿って旋回しながら流れ落ち、便鉢２内に旋回流が形成される。この旋回流により、汚物が便鉢２の中央側に集められると共に、トイレットペーパーがほぐれて洗浄水となじみ、水中に分散するようになるので、後にサイホン作用が発生すると、汚物及びトイレットペーパーがスムーズに便器本体１外へ排出される。
【００４４】
洗浄水が便鉢２に供給され、便鉢２内の水位が十分に高くなると、駆動装置４０が駆動される。つまり、図２に示すように、移動装置４６のモーター４６Ｍが駆動され、棒状体４６Ｂの押上板４６Ｃが所定の速度で所定の高さまで上昇し、移動体４２を所定の高さまで押し上げる。これにより、第１気密室４７の容積は所定の速度で一気に所定の量に拡大する。この際、押下板４６Ｄが上昇位置に移動するため、第１開閉弁４６Ｖの弁体４６Ｔはバネ４６Ｓの付勢力により閉弁し、第２気密室４８は大気との連通を閉鎖する。このため、第１室３２内の空気が第１気密室４７内に確実に移動し、第１隔膜３１を上昇位置まで確実に上昇させることができる。これにより、便器排水路５内から空気が第２室３３内に吸引される。この時には、滞留部６内に上昇流路２Ａから溢れた洗浄水が流入し、便器排水路５内と排水口７側との間は完全に封鎖されているため、便器排水路５内が洗浄水で満水になり、サイホン作用が発生し、汚物等が便器本体１外へ排出される。
【００４５】
サイホン作用が発生し、所定時間が経過した後、モーター４６Ｍを逆回転させ、棒状体４６Ｂの押上板４６Ｃを下降させる。すると、移動体４２は自重により下降し、第１気密室４７内の空気が連通管５０を通じて吸引タンク３０の第１室３２に側に移動するため、第１隔膜３１が下降する。押下板４６Ｄが下降位置に戻ると、押下板４６Ｄが第１開閉弁４６Ｖの弁体４６Ｔを下方に押下げ、第１開閉弁４６Ｖを開弁するため、第２気密室４８は大気に連通する。このため、第１気密室４７内から空気が確実に排出されると共に、第１室３２には空気が確実に充填される。よって、移動体４２及び第１隔膜３１は下降の途中で止まることなく、下降位置まで確実に下降する。
【００４６】
第１隔膜３１が下降すると、第２室３３から便器排水路５内に空気が排出されるため、便器排水路５を洗浄水で満水状態に維持することができなくなり、サイホン作用が終了する。その後、便鉢２内に所定の水位を有する水封部４が形成されるように洗浄水供給装置１０から洗浄水が供給される。
【００４７】
このように、実施例１の吸気装置２０では、便器排水路５内から空気を確実に吸引し、サイホン作用を発生させることができる。また、便器洗浄が終了した時には、次の便器洗浄に備え、移動体４２及び第１隔膜３１は下降位置まで下降している。このため、次の便器洗浄においても、吸気装置２０は便器排水路５内から空気を確実に吸引し、サイホン作用を発生させることができる。
【００４８】
したがって、実施例１の吸気装置は、便器洗浄を繰り返し良好に行うことができる。
【００４９】
また、停電等により、モーター４６Ｍを駆動させることができない場合には、使用者が手動で開閉弁Ｖ２を開弁した後、使用者が手動で鎖４９を引き上げることにより、移動体４２を上方向に移動させる。これにより、吸引タンク３０の第１隔膜３１が上方向に移動して便器排水路５から空気が吸引されるため、便器排水路５が洗浄水で満水になりサイホン作用が発生し、汚物等を便器本体１外へ排出することができる。
【実施例２】
【００５０】
図３及び図４に示すように、実施例２の洋風水洗式便器は、連通管５０の中間部に、連通管５０内と大気とを連通する小孔５１が設けられている。また、移動装置４６は、筐体４６Ｋの内部と第１気密室４７とを連通していない。また、筐体４６Ｋは、筐体４６Ｋの内部と大気との連通を開閉する構造を有していない。これ以外の構成は実施例１と同様であるので、同一の構成については、同一の符号を付し、詳細な説明は省略する。
【００５１】
実施例２の吸気装置１００は、図３に示すように、移動体４２が下降し、それにより第１隔膜３１が下降する場合、第１気密室４７及び第１室３２は連通管５０に設けられた小孔５１を介して大気に連通しているため、第１気密室４７内から空気が確実に排出されると共に、第１室３２には空気が確実に充填される。このため、移動体４２及び第１隔膜３１は下降の途中で止まることなく、下降位置まで確実に下降する。
【００５２】
また、図４に示すように、移動体装置４６により移動体４２を上方向に移動させることにより、第１隔膜３１が上昇する場合、連通管５０に設けられた小孔５１から空気Ｋが第１気密室４７に流入するが、その量は僅かであるため、第１室３２の空気を第１気密室４７が確実に吸引し、第１隔膜３１を所定の速度で上昇位置まで確実に上昇させることができる。このため、便器洗浄を行う場合、便器排水路から空気を確実に吸引することができ、サイホン作用を確実に発生させることができる。
【００５３】
このように、実施例２の吸気装置１００も、便器排水路５内から空気を確実に吸引し、サイホン作用を発生させることができる。また、便器洗浄が終了した時には、次の便器洗浄に備え、移動体４２及び第１隔膜３１は下降位置まで下降している。このため、次の便器洗浄においても、吸気装置１００は便器排水路５内から空気を確実に吸引し、サイホン作用を発生させることができる。
【００５４】
したがって、実施例２の吸気装置も、便器洗浄を繰り返し良好に行うことができる。
【実施例３】
【００５５】
図５及び図６に示すように、実施例３の洋風水洗式便器は、連通管５０の中間部に、常時は連通管５０内と大気とを連通し、連通管５０内の圧力が大気圧より特定の圧力以下になると連通管５０内と大気との連通を閉鎖するバネ５２Ａを内蔵した第２開閉弁５２が設けられている。これ以外の構成は実施例１及び／又は実施例２と同様であるので、同一の構成については、同一の符号を付し、詳細な説明は省略する。
【００５６】
実施例３の吸気装置２００は、図５に示すように、移動体４２が下降し、それにより第１隔膜３１が下降する場合、連通管５０内の圧力は大気圧より小さくならないため、第２開閉弁５２は開弁しており、連通管５０内は大気に連通されている。このため、第１気密室４７から空気が確実に排出されると共に、第１室３２には空気が確実に充填される。よって、移動体４２及び第１隔膜３１は下降の途中で止まることなく、下降位置まで確実に下降する。
【００５７】
また、図６に示すように、移動装置４６により移動体４２を上方向に移動させることにより、第１隔膜３１が上昇する場合、第１気密室４７の容積は所定の速度で一気に所定の量に拡大するため、連通管５０内の圧力は大気圧より特定の圧力以下になる。このため、第２開閉弁５２の弁体が内蔵されたバネの付勢力に抗して移動し、閉弁することにより、連通管５０内と大気との連通は閉鎖される。よって、第１室３２内の空気が第１気密室４７内に確実に移動し、第１隔膜３１を上昇位置まで確実に上昇させることができる。このため、便器洗浄を行う場合、便器排水路から空気を確実に吸引することができ、サイホン作用を確実に発生させることができる。
【００５８】
このように、実施例３の吸気装置２００も、便器排水路５内から空気を確実に吸引し、サイホン作用を発生させることができる。また、便器洗浄が終了した時には、次の便器洗浄に備え、移動体４２及び第１隔膜３１は下降位置まで下降している。このため、次の便器洗浄においても、吸気装置２００は便器排水路５内から空気を確実に吸引し、サイホン作用を発生させることができる。
【００５９】
したがって、実施例３の吸気装置も、便器洗浄を繰り返し良好に行うことができる。
【００６０】
また、連通管５０の内部の圧力が温度変化等により大気圧より僅かに小さくなったとしても、第２開閉弁５２は閉弁せず、連通管５０内と大気との連通が維持される。このため、連通管５０内の圧力が大気圧より僅かに小さくなった状況で、第２開閉弁５２が閉弁してしまうことにより、第１隔膜３１が上方向に移動して第２室が便器排水路５内の空気を吸引し、便器本体１の水封部４に貯水された洗浄水が便器排水路５側に流れ込んで封水が切れてしまうことを防止できる。
【００６１】
以上において、第１発明〜第３発明を実施例１〜３に即して説明したが、本発明は上記実施例に制限されるものではなく、その趣旨に逸脱しない範囲で適宜変更して適用できることはいうまでもない。
【００６２】
例えば、第３実施例の第２開閉弁５２のバネ５２を省略することが可能である。この場合、第２開閉弁５２は、連通管５０内の圧力が大気圧より小さくなると連通管５０内と大気との連通を閉鎖するため、便器洗浄時に第１室内３２の空気は第１気密室４７内に確実に移動し、第１隔膜３１を上昇位置までより確実に上昇させることができる。このため、便器排水路から空気を確実に吸引することができ、サイホン作用を確実に発生させることができる。
【００６３】
また、第３実施例の第２開閉弁５２の弁体を球体形状にすることが可能である。この場合、バネ５２Ａを内蔵しなくても良い。
【産業上の利用可能性】
【００６４】
本発明は洋風水洗式便器に利用可能である。
【図面の簡単な説明】
【００６５】
【図１】実施例１の便器排水路の吸気装置を備えた洋風水洗式便器の模式図である。
【図２】実施例１の便器排水路の吸気装置を備えた洋風水洗式便器の便器洗浄状態を示す模式図である。
【図３】実施例２の便器排水路の吸気装置を備えた洋風水洗式便器の模式図である。
【図４】実施例２の便器排水路の吸気装置を備えた洋風水洗式便器の便器洗浄状態を示す模式図である。
【図５】実施例３の便器排水路の吸気装置を備えた洋風水洗式便器の模式図である。
【図６】実施例３の便器排水路の吸気装置を備えた洋風水洗式便器の便器洗浄状態を示す模式図である。
【符号の説明】
【００６６】
１…便器本体
４…水封部
５…便器排水路
２０、２００…吸気装置
３０…吸引タンク
３０Ｈ…ハウジング
３１…第１隔膜
３２…第１室
３３…第２室
４０…駆動装置
４１…ケース本体
４２…移動体
４６…移動装置
４６Ｋ…筐体
４６Ｍ、４６Ａ、４６Ｂ、４６Ｃ、４６Ｄ…アクチュエーター（４６Ｍ…モーター、４６Ａ…ネジ軸、４６Ｂ…棒状体、４６Ｃ…押上板、４６Ｄ…押下板）
４６Ｖ…第１開閉弁
４７…第１気密室
４８…第２気密室
５０…連通管
５１…小孔
５２…第２開閉弁
【図１】
0004994181.tif 000002
【図２】
0004994181.tif 000003
【図３】
0004994181.tif 000004
【図４】
0004994181.tif 000005
【図５】
0004994181.tif 000006
【図６】
0004994181.tif 000007